(57)【特許請求の範囲】
【請求項１】
充填される液体を貯留するフィラタンクと、フィラタンクに接続された複数の充填液通路と、充填液通路を開閉する充填バルブと、前記充填液通路に設けられ、容器内に充填される流量に応じたパルスを出力する電磁流量計と、この電磁流量計からのパルス信号が入力され、予め設定された単位パルス当りの流量から充填量を算出して充填バルブの開閉を制御する制御装置とを備えた流量充填装置において、
前記フィラタンク内に充填液の液温を計測する温度計を設けるとともに、前記制御装置に、単位パルス当りの流量を設定する設定部と、この設定部によって設定された単位パルス当たりの流量を記憶する記憶部と、充填量を算出する演算部とを設け、前記温度計による温度の計測結果に基いて単位パルス当りの流量を補正するとともに、演算部において補正された流量に基いて充填量を算出し、所定の充填量になったときに充填バルブを閉じることを特徴とする流量充填装置。
【発明の詳細な説明】
【０００１】
【発明の属する技術分野】
本発明は、容器内に充填される液体の流量を電磁流量計によって計測しつつ充填を行なう流量充填装置に係り、特に、前記電磁流量計の出力したパルス数に応じて正確な流量を算出することができるように流量充填装置を調整する調整方法および装置に関するものである。
【０００２】
【従来の技術】
電磁流量計を備えた流量充填装置は、充填液を貯留するフィラタンクと、このフィラタンクから充填液通路を介して供給された液体を容器内に充填するノズルと、前記充填液通路を開閉する充填バルブと、充填液通路内に設けられ、この通路を通過して容器内に充填される液体の流量を検出し、パルスとして出力する電磁流量計と、この電磁流量計からのパルス信号に応じて充填バルブの開閉を制御する制御装置とを備えている。
【０００３】
【発明が解決しようとする課題】
前記のような流量充填装置では、電磁流量計で予め設定されている一パルス当りの流量は、電磁流量計の製造メーカーで校正された値であり、この電磁流量計を充填装置に組み込んだ時には、実際の一パルス当りの流量値が前記校正値と異なる場合がある。このように製造メーカーでの校正値と、充填装置に組み込んだときの値が異なる原因は、メーカーでの校正環境と充填装置の環境とが異なるためや、メーカーで校正に使用される液と実際に充填される飲料、化粧品、トイレタリー製品などの液の液質の差などによるものである。いずれにしても、予め設定されている一パルス当りの流量が、実際の充填時における一パルス当りの流量値と異なっている場合には、充填バルブを閉じた後の充填量に誤差がでてしまうという問題があった。
【０００４】
本発明は前記課題を解決するためになされたもので、電磁流量計を用いた充填装置で正確な充填を行なうことができるように調整をする流量充填装置の調整方法および装置を提供するものである。
【０００５】
【課題を解決するための手段】
本発明にかかる流量充填装置は、充填される液体を貯留するフィラタンクと、フィラタンクに接続された複数の充填液通路と、充填液通路を開閉する充填バルブと、前記充填液通路に設けられ、容器内に充填される流量に応じたパルスを出力する電磁流量計と、この電磁流量計からのパルス信号が入力され、予め設定された単位パルス当りの流量から充填量を算出して充填バルブの開閉を制御する制御装置とを備えた流量充填装置において、前記フィラタンク内に充填液の液温を計測する温度計を設けるとともに、前記制御装置に、単位パルス当りの流量を設定する設定部と、この設定部によって設定された単位パルス当たりの流量を記憶する記憶部と、充填量を算出する演算部とを設け、前記温度計による温度の計測結果に基いて単位パルス当りの流量を補正するとともに、演算部において補正された流量に基いて充填量を算出し、所定の充填量になったときに充填バルブを閉じるようにしたものである。
【０００８】
【発明の実施の形態】
以下、図面に示す実施の形態により本発明を説明する。図１は本発明の一実施の形態に係る流量充填装置の調整方法を実施する流量充填装置の構成を簡略化して示す図であり、容器（図示せず）内に充填される液体を貯留するフィラタンク２に、複数のノズル４がそれぞれ配管（充填液通路）６を介して接続されており、これら充填液通路６に設けられた充填バルブ８を開閉することにより、前記フィラタンク２内の液体を容器内に充填する。
【０００９】
前記充填液通路６には、流量計１０が設けられており、この充填液通路６内を通過する液体の流量を検出する。この充填装置では、流量計として電磁流量計１０が用いられており、通過した液体の流量に応じてパルスを出力する。電磁流量計１０から出力されたパルスは、制御装置１２に送られてカウントされ、予め設定されて記憶部１２ａに記憶されている一パルス当りの流量と前記測定パルス数から、演算部１２ｂにおいて充填流量を算出し、所定の流量になったときに、前記充填バルブ８に信号を送ってこのバルブ８を閉じて充填を終了する。なお、充填バルブ８にバルブ閉信号が送られて閉じ始めてから閉じ切るまでの間の流下量を予め算出しておき、その量だけ早めに充填バルブ８を閉じるようにすることはいうまでもない。
【００１０】
前記フィラタンク２内には、タンク内の液体の温度を測定する温度計１４が設けられており、測定した液温を制御装置１２に送る。フィラタンク２内の充填液は、温度の変化により膨脹・収縮するので、制御装置１２の記憶部１２ａには、充填される液体の膨脹／収縮係数が記憶されており、前記温度計１４が測定した温度に応じて、前述の記憶部１２ａに記憶されている一パルス当りの流量値を自動補正して、充填量が変動しないようにする。
【００１１】
以上の構成に係る流量充填装置の作動および調整方法について説明する。ノズル４の下方に容器が供給されると、制御装置１２から充填バルブ８にバルブ開信号が送られて充填バルブ８が開放し、充填液通路６を通ってフィラタンク２から充填液が流下し、容器内に充填される。充填液通路６には電磁流量計１０が設けられており、この充填液通路６を流れる液体の流量に応じてパルスを出力する。電磁流量計１０が出力したパルスが制御装置１２に送られてカウントされ、演算部１２ｂで、このパルス数に前記一パルス当りの流量を掛けることにより、電磁流量計１０を通過して容器内に充填された流量を算出し、所定の流量になったときに、前記充填バルブ８に信号を送ってこのバルブ８を閉じて充填を終了する。
【００１２】
ここで、充填量の補正について説明する。電磁流量計１０から出力される一パルス当りの流量の、制御装置１２の記憶部１２ａに記憶されている数値と、充填時の実際の流量とに誤差が生ずる場合がある。例えば、３００ｃｃの充填を行なう場合に、一パルス当りの流量が、０．３ｃｃ／パルスに設定されており、この値が極めて正確であるとすれば、電磁流量計１０から１０００個のパルスが出力されたときに充填バルブ８を閉じると、充填量が３００ｃｃになるはずである。なお、ここでは、充填バルブが閉じ動作を開始してから完全に閉じるまでの間に流量計を流れる液量は無視して考えることにする。ところが、１０００個のパルスが出力されたときに、充填バルブ８を閉じても実際の充填量が３００ｃｃを超え、あるいは、３００ｃｃに満たない場合がある。
【００１３】
そこで、電磁流量計１０を用いた流量充填装置を運転する際にテスト充填を行ない、予め設定されている電磁流量計１０の一パルス当りの流量を補正する。すなわち、実際に所定容量の充填を行ない、充填容量を計測する。このときの電磁流量計１０からの積算パルス数と実測した充填容量から、以下の（１）式により実際の一パルス当りの流量を算出する。
実測充填容量÷積算パルス数＝一パルス当りの流量  ……  （１）
テスト充填によって実際の充填時における一パルス当りの重量値を求め、この値を設定部１２ｃに入力して、制御装置１２の記憶部１２ａに記憶されている前記設定値を補正する。なお、充填容量の計測は容量自体を計測する他に、充填される液体の比重が１の場合には重量値として換算することができる。
【００１４】
このように制御装置１２に記憶されている一パルス当りの流量値を、設定部１２ｃにより、前記実際の充填量に応じて変更し、この新たな設定値によって、制御装置１２が積算パルス数に応じた流量を算出して充填バルブ８に閉信号を送り、バルブを閉じるので、正確な容量の充填を行なうことができる。
【００１５】
また、前記フィラタンク２には温度計１４が設けられるとともに、制御装置１２の記憶部１２ａには、温度に応じた膨張／収縮係数が記憶されており、温度計の測定した温度が変化したときには、この膨張／収縮係数によって一パルス当りの流量を補正することにより、容器内への充填量の温度変化による変動を防止することができる。また、記憶部１２ａに各温度ごとの単位パルス当りの流量を記憶しておき、温度計１４の測定値により適宜一パルス当りの流量を呼び出すことにより補正することができる。
【００１６】
【発明の効果】
以上述べたように本発明によれば、充填される液体を貯留するフィラタンクと、フィラタンクに接続された複数の充填液通路と、充填液通路を開閉する充填バルブと、前記充填液通路に設けられ、容器内に充填される流量に応じたパルスを出力する電磁流量計と、この電磁流量計からのパルス信号が入力され、予め設定された単位パルス当りの流量から充填量を算出して充填バルブの開閉を制御する制御装置とを備えた流量充填装置において、前記フィラタンク内に充填液の液温を計測する温度計を設けるとともに、前記制御装置に、単位パルス当りの流量を設定する設定部と、この設定部によって設定された単位パルス当たりの流量を記憶する記憶部と、充填量を算出する演算部とを設け、前記温度計による温度の計測結果に基いて単位パルス当りの流量を補正するとともに、演算部において補正された流量に基いて充填量を算出し、所定の充填量になったときに充填バルブを閉じるようにしたことにより、充填される液体の温度等の条件に応じて前記設定値を補正して、極めて正確な充填をすることができる。
【図面の簡単な説明】
【図１】本発明の一実施例に係る流量充填装置の調整方法を実施するための流量充填装置の調整装置の概略を説明する図である。
【符号の説明】
６    充填液通路
８    充填バルブ
１０    電磁流量計
１２    制御装置
１４    温度計
【図１】
0004208039.tif 000002